(57)【特許請求の範囲】
【請求項１】
コンセントとこれに着脱自在に接続されるプラグとから成り、
前記プラグは、差込筒と、該差込筒の先端開口側から奥方向に延び且つ軸回りに自転し得る第１弁軸が前記奥方向に押し込まれることにより第１バネの付勢力に抗して開弁する第１リフト弁を具備し、
前記コンセントは、前記差込筒を差し込む為の差込孔と、前記差込孔の先端開口側から奥方向に延び且つ軸回りに自転し得る第２弁軸が前記奥方向に押し込まれることにより第２バネの付勢力に抗して開弁する第２リフト弁を具備し、
前記差込孔に対して前記差込筒を強制的に差し込んだときは、同一横断面形状を有する前記第１弁軸と前記第２弁軸が一直線に並んだ状態で互いに押し合うことにより、前記第１リフト弁と前記第２リフト弁が開弁動作する流体回路接続具に於いて、
前記第１，第２弁軸に垂直な面に対する該第１，第２弁軸の投影形状が重なるまで、前記押し合う力を前記第１，２弁軸の前記自転する方向への回転力に変換させる変換機構が、前記第１，第２弁軸の先端部に設けられている、流体回路接続具。
【請求項２】
請求項１に記載の流体回路接続具に於いて、
前記変換機構は、
頂部に向って細くなった山部と谷部が交互に連続し且つ前記第１弁軸の先端面に形成された第１係合部と、
前記谷部に噛み合う少なくとも一つの山部を具備し且つ前記第２弁軸の先端面に形成された第２係合部とから構成されている、流体回路接続具。
【請求項３】
請求項１に記載の流体回路接続具に於いて、
前記変換機構は、
頂部に向って細くなった山部と谷部が交互に連続し且つ前記第２弁軸の先端面に形成された第２係合部と、
前記谷部に噛み合う少なくとも一つの山部を具備し且つ前記第１弁軸の先端面に形成された第１係合部とから構成されている、流体回路接続具。
【請求項４】
請求項２又は請求項３に記載の流体回路接続具に於いて、
前記第１リフト弁と前記第２リフト弁は、前記第１弁軸及び前記第２弁軸と前記第１係合部及び前記第２係合部を含む全体構造が同一に構成されている、流体回路接続具。
【請求項５】
請求項１から請求項４の何れかに記載の流体回路接続具に於いて、
前記プラグには、前記第１リフト弁を内蔵する二本の前記差込筒が同一方向に向けて平行に突出し、
前記コンセントには、前記第２リフト弁を内臓する前記差込孔が二本形成されている、流体回路接続具。
【発明の詳細な説明】
【０００１】
【発明の属する技術分野】
本発明は、流体回路接続具に関するもので、例えば、給湯器等の熱源機と放熱器等の端末器との温水回路を接続する温水回路接続具やその他の液体更には気体等の流体回路を接続する接続具として利用できる。
【０００２】
【従来の技術】
前記流体回路接続具の一例として、特開平２０００−１７９８７３号に開示された図６，図７の如き温水コンセント（２）と温水プラグ（１）から成る温水回路接続具がある。
【０００３】
図６は温水コンセント（２）の室内側正面図であり、該温水コンセント（２）は、壁（Ｈ）に形成された壁穴（Ｈ０）を室内側から覆うように配設されている。そして、温水コンセント（２）に内蔵されたコンセント本体（２０）には、室外の熱源機（図示せず）から延びる一対の室外側温水配管の先端部に連通する差込孔（２１）（２１）が形成されている。
【０００４】
図６，図８に示すように、上記差込孔（２１）（２１）内には、流路を開閉する為の弁体（２３２）と横断面十字状の第２弁軸（２３１）から成る第２リフト弁（２３）が配設されており、該第２リフト弁（２３）は第２バネ（２５）によって閉弁方向に付勢されている。
【０００５】
図７は上記温水コンセント（２）に接続される温水プラグ（１）の斜視図であり、該温水プラグ（１）には、温水の熱を室内に放出する端末器（３）  から延びる一対の室内側温水配管（３１）（３１）が接続されていると共に、該室内側温水配管（３１）（３１）  に各別に連通する差込筒（１１）（１１）は、ケーシング（１０）から突出した状態で保護筒（１４）によって包囲されている。
【０００６】
図６，図８に示すように、上記差込筒（１１）（１１）内には、流路を開閉する為の弁体（１３２）と横断面十字状の第１弁軸（１３１）から成る第１リフト弁（１３）が配設されており、該第１リフト弁（１３）は第１バネ（１５）によって閉弁方向に付勢されている。
【０００７】
このものでは、図８に示すように、温水プラグ（１）の差込筒（１１）（１１）が温水コンセント（２）の差込孔（２１）（２１）内に挿入されると、これら差込筒（１１）（１１）内と差込孔（２１）（２１）内の第１，第２リフト弁（１３）（１３）（２３）（２３）の第１，第２弁軸（１３１）（２３１）が相互に押し合い、これにより、第１，第２リフト弁（１３）（１３）（２３）（２３）が第１，第２バネ（１５）（２５）の付勢力に抗して開弁動作する。すると、プラグ（１）内の流路とコンセント本体（２０）内の流路が連通し、室外側の熱源機（図示せず）と室内側の端末器（３）  の間に温水循環回路が形成され、これにより、室内の温水暖房が行える。
【０００８】
しかしながら、上記従来のものでは、差込筒（１１）を差込孔（２１）に差し込んだときに、第１，第２弁軸（１３１）（２３１）に垂直な面へのこれら弁軸の投影形状（十字形状を有している）が、重なり合うことなく互いに周方向にずれることがある。すると、上記投影形状が重なり合っている場合に比べ、合成された投影形状全体の面積が大きくなり、これにより、これら第１，第２リフト弁（１３）（２３）の配列部の流路抵抗が増大するという問題があった。
【０００９】
【発明が解決しようとする課題】
本発明は、かかる点に鑑みて成されたもので、
『コンセントとこれに着脱自在に接続されるプラグとから成り、
前記プラグは、差込筒と、該差込筒の先端開口側から奥方向に延び且つ軸回りに自転し得る第１弁軸が前記奥方向に押し込まれることにより第１バネの付勢力に抗して開弁する第１リフト弁を具備し、
前記コンセントは、前記差込筒を差し込む為の差込孔と、前記差込孔の先端開口側から奥方向に延び且つ軸回りに自転し得る第２弁軸が前記奥方向に押し込まれることにより第２バネの付勢力に抗して開弁する第２リフト弁を具備し、
前記差込孔に対して前記差込筒を強制的に差し込んだときは、同一横断面形状を有する前記第１弁軸と前記第２弁軸が一直線に並んだ状態で互いに押し合うことにより、前記第１リフト弁と前記第２リフト弁が開弁動作する流体回路接続具』に於いて、上記従来のものに比べてコンセントとプラグの接続部の流路抵抗を小さくすることをその課題とする。
【００１０】
【課題を解決するための手段】
［１項］
上記課題を解決する為の本発明の技術的手段は、
『前記第１，第２弁軸に垂直な面に対する該第１，第２弁軸の投影形状が重なるまで、前記押し合う力を前記第１，２弁軸の前記自転する方向への回転力に変換させる変換機構が、前記第１，第２弁軸の先端部に設けられている』ことである。
上記技術的手段は次のように作用する。
プラグの差込筒をコンセントの差込孔に差し込むと、既述従来のものと同様に、差込筒と差込孔に各別に装填された第１リフト弁と第２リフト弁の各弁軸の先端相互が押し合ってこれらがバネの付勢力に抗して開弁動作する。
このとき、上記押し合う力は、第１，第２弁軸を軸回りに自転させる方向への回転力に変換機構によって変換される。すると、第１，第２弁軸に垂直な面に対する該第１，第２弁軸の投影形状が重なるまで、これら弁軸が軸回りに自転し、これにより、上記投影形状が重ならない場合に比べ、合成された投影形状全体の面積が小さくなる。
【００１１】
［２項］
前記１項に於いて、
『前記変換機構は、
頂部に向って細くなった山部と谷部が交互に連続し且つ前記第１弁軸の先端面に形成された第１係合部と、
前記谷部に噛み合う少なくとも一つの山部を具備し且つ前記第２弁軸の先端面に形成された第２係合部とから構成されている』ものでは、プラグの差込筒をコンセントの差込孔に差し込んだときに第１リフト弁と第２リフト弁の各弁軸先端相互が押し合うと、第１係合部と第２係合部の各山部と谷部が噛み合うまでこれらが軸回りに自転する。
【００１２】
［３項］
前記２項のものでは、第１弁軸の先端部に山部と谷部からなる第１係合部を形成する一方、他方の第２弁軸の先端部に少なくとも一つの山部を具備する第２係合部を形成したが、
これとは逆に、前記１項に於いて、
『前記変換機構は、
頂部に向って細くなった山部と谷部が交互に連続し且つ前記第２弁軸の先端面に形成された第２係合部と、
前記谷部に噛み合う少なくとも一つの山部を具備し且つ前記第１弁軸の先端面に形成された第１係合部とから構成されている』ものとしてもよい。
このものでは、上記２項のものと同様に、第１リフト弁と第２リフト弁の各弁軸先端相互が押し合うと、第１係合部と第２係合部の各山部と谷部が噛み合うまでこれらが軸回りに自転する。
【００１３】
［４項］
前記２項又は３項に於いて、
『前記第１リフト弁と前記第２リフト弁は、前記第１弁軸及び前記第２弁軸と前記第１係合部及び前記第２係合部を含む全体構造が同一に構成されている』ものでは、第１，第２リフト弁を共通化できるから、流体回路接続具を構成する部品点数を少なくすることができる。
【００１４】
［５項］
前記１項から４項に於いて、
『前記プラグには、前記第１リフト弁を内蔵する二本の前記差込筒が同一方向に向けて平行に突出し、
前記コンセントには、前記第２リフト弁を内臓する前記差込孔が二本形成されている』ものでは、例えば、熱源器から引き出した二本の配管と端末器  に繋がる二本の配管を接続することによって、これら熱源器と端末器  を循環する循環回路を形成する接続具として使用することが出来る。即ち、熱源器から引き出した二本の配管を温水コンセントに設けられた２つの差込孔に各別に配管接続すると共に、端末器に繋がる二本の配管をプラグに設けられた二本の差込筒に接続し、この状態でプラグとコンセントを接続すると、熱源器と端末器の間には上記各配管による循環回路が構成される。
【００１５】
【発明の効果】
本発明は、上記構成であるから次の特有の効果を有する。
コンセントとプラグを接続した状態では、第１，第２弁軸に垂直な面に対するこれら弁軸の投影形状が重なるから、該投影形状が重ならない場合に比べて、合成された投影形状全体の面積が小さくなり、これにより、コンセントとプラグの接続部の流路抵抗が小さくなる。
【００１６】
２項，３項のものでは、第１，第２弁軸の先端面に山部や谷部を形成するだけで変換機構が構成されるから、該変換機構の構造が簡単になる。
【００１７】
４項のものでは、第１，第２リフト弁の構造を共通化できるから、流体回路接続具に必要な部品点数が少なくなる。
【００１８】
【発明の実施の形態】
次に、上記した本発明の実施の形態を図面に従って詳述する。
図１は、本発明の実施の形態に係る流体回路接続具の一例を示す温水回路接続具の断面図であり、該温水回路接続具は、互いに着脱自在に接続される温水プラグ（１）と温水コンセント（２）から構成されている。以下、各部の詳細を説明する。
【００１９】
［温水プラグ（１）について］
図１，図３に示すように、温水プラグ（１）には、放熱用の端末器（３）から引き出された一対の室内側温水配管（３１）（３１）が接続されている。そして、上記室内側温水配管（３１）（３１）は、温水プラグ（１）のケーシング（１０）内に於いて差込筒（１１）（１１）に連通していると共に、該差込筒（１１）（１１）はケーシング（１０）の正面側に平行姿勢で突出した状態で保護筒（１４）によって包囲されている。
【００２０】
各差込筒（１１）（１１）は、互いに同一構造を有しており、図１に示すように、差込筒（１１）の奥には内径が拡大する弁室（１７）が形成されている。そして、該弁室（１７）と小径部（１８）の境界が環状の弁座部（１６）になっており、該弁座部（１６）には、第１バネ（１５）の付勢力によって第１リフト弁（１３）の弁体（１３２）が押し付けられるようになっている。
【００２１】
又、上記第１リフト弁（１３）は、差込筒（１１）の小径部（１８）内で軸回りに自転自在となった十字状の横断面形状を有する第１弁軸（１３１）を具備していると共に、該第１弁軸（１３１）は、差込筒（１１）の先端開口（１１１）側からその奥方向に延びるように該差込筒（１１）内に装填されている。
【００２２】
又、第１弁軸（１３１）には上記弁座部（１６）に対して奥側から接離動作する環状ゴム（１９）を備えた弁体（１３２）が設けられていると共に、上記第１弁軸（１３１）は中心部から９０度間隔で放射状に突出する第１〜第４羽根（４６）〜（４９）を備えている。
【００２３】
図３，図４に示すように、上記十字状の横断面を具備する第１弁軸（１３１）の先端には、正面視が三角形状をした山部（４２）（４２）と谷部（４３）（４３）が交互に連続するように起伏する頂面を備えた既述係合部たる第１係合筒（４１）が突設されている。そして、上記山部（４２）（４２）は、第１弁軸（１３１）の中心部から背向する方向に突出する第１羽根（４６）と第３羽根（４７）を結ぶ直線上に位置している。一方、谷部（４３）（４３）は、第２羽根（４８）と第４羽根（４８）を結ぶ直線上に位置している。
【００２４】
そして、上記山部（４２）は、前記谷部（４３）に丁度嵌入する形状を有しており、これにより、前記第１リフト弁（１３）と後述の第２リフト弁（２３）（温水コンセント（２）に組み込まれたもの）を同一構造にしても両者の先端の第１，第２係合筒（４１）（５１）相互を密に噛み合わせることができるようにして、これら第１リフト弁（１３）と第２リフト弁（２３）に関して部品の共通化を図れるようにしている。
尚、本実施の形態では、上記第１係合筒（４１）と第２係合筒（５１）の組み合わせが、既述技術的手段の項に記載の変換機構に対応している。
【００２５】
［温水コンセント（２）について］
図１，図２に示すように、壁（Ｈ）に配設される温水コンセント（２）は、室内側から壁穴（Ｈ０）に差し込まれるボックス（２９）と、その開口部を覆う化粧カバー（２８）を備えており、該化粧カバー（２８）には、上記ボックス（２９）の開口部を開閉する為のスライド蓋（２７）が設けられている。
【００２６】
上記ボックス（２９）内に収容されるコンセント本体（２０）は、熱源器（６１）から引き出された温水配管（６２）（６２）を接続する接続ナット（３４）を後端に備えた弁箱（３３）を有している。
又、弁箱（３３）内の弁室（３５）に装填された第２リフト弁（２３）は、図４に示すように、既述温水プラグ（１）に装填された第１リフト弁（１３）と同一構造を有している。
【００２７】
即ち、上記第２リフト弁（２３）は、既述第１係合筒（４１）と同一構成の第２係合筒（５１）が先端に突設され且つ横断面十字状の第２弁軸（２３１）を有していると共に、第２弁軸（２３１）には弁室（３５）内に位置し且つ環状ゴム（３９）を備えた弁体（２３２）が設けられており、更に該第２リフト弁（２３）は第２バネ（２５）によって前方に付勢されている。
【００２８】
上記弁室（３５）の前方開口部には、弁座用筒体（３６）が挿入されていると共に、該弁座用筒体（３６）の奥端部内周に周設された環状隆起部（３７）の弁室（３５）側の面が環状の弁座部（３８）となっている。
【００２９】
そして、第２リフト弁（２３）の第２弁軸（２３１）は、既述差込筒（１１）を差し込む為の差込孔（２１）の先端開口（２１１）側からその奥方向に延び且つその軸回りに自転自在の態様で該差込孔（２１）に装填されている。
又、上記弁座用筒体（３６）と弁箱（３３）は互いに組み合わされた状態で外装体（３２）
に装填されている。
【００３０】
［使用の実際］
図１に示すように、温水プラグ（１）の差込筒（１１）（１１）と温水コンセント（２）の差込孔（２１）（２１）を対向させ、この状態で温水プラグ（１）の差込筒（１１）（１１）を温水コンセント（２）の差込孔（２１）（２１）に差し込む。すると、第１リフト弁（１３）と第２リフト弁（２３）の先端相互が第１，第２バネ（１５）（２５）の付勢力に抗して押し合い、これにより、該第１リフト弁（１３）と第２リフト弁（２３）が弁座部（１６）（３８）から離反する方向に移動して開弁状態になる（図５参照）。これにより、熱源器（６１）で加熱生成された温水が二本の室外側温水配管（６２）（６２），温水プラグ（１），温水コンセント（２），端末器（３）  及び二本の室内側温水配管（３１）（３１）で形成される循環回路で循環する。
【００３１】
そして、温水プラグ（１）の差込筒（１１）（１１）を温水コンセント（２）の差込孔（２１）（２１）に差し込んだときには、これらに各別に装填された第１リフト弁（１３）（１３）と第２リフト弁（２３）（２３）の各弁軸の第１，第２係合筒（４１）（５１）先端が互いに噛み合うまで、該第１，第２リフト弁（１３）（２３）が軸回りに自転する。即ち、第１，第２バネ（１５）（２５）の付勢力によって第１，第２リフト弁（１３）（２３）の第１，第２弁軸（１３１）（２３１）の先端に配設された第１，第２係合筒（４１）（５１）が相互に押し付けられると、第１弁軸（１３１）の先端に突設された第１係合筒（４１）の谷部（４３）（４３）を構成する傾斜面（４４）（４４）に対して第２弁軸（２３１）の先端に突設された第２係合筒（５１）の山部（５２）（５２）が滑るように移動し、これにより、上記山部（５２）（５２）が谷部（４３）（４３）に嵌り込む。そして、この嵌り込んだ状態では、第１，第２弁軸（１３１）（２３１）の軸線に垂直な面に対するこれら両軸の投影形状が完全に重なった状態になる。従って、温水プラグ（１）と温水コンセント（２）を接続した図５の状態では、第１リフト弁（１３）と第２リフト弁（２３）の配設部の流路抵抗が、上記投影形状が重ならない場合に比べて小さくなり、温水を円滑に流動させることができる。
【００３２】
尚、上記実施の形態では、温水プラグ（１）と温水コンセント（２）から成る温水回路接続具に本願発明を適用したが、本発明は、油圧回路や気体回路等の種々の流体回路の接続具として適用することができる。
【００３３】
又、上記実施の形態では、第１弁軸（１３１）の先端に山部（４２）（４２）と谷部（４３）（４３）が交互に連続する係合部を形成したが、少なくとも一つの山部（４２）を第１弁軸（１３１）の先端に突設する一方、他方の第２弁軸（２３１）には山部（５２）（５２）と谷部（５３）（５３）が交互に連続する既述図４の如き係合筒（５１）を設けても良い。更に、これとは逆に、少なくとも一つの山部（５２）を第２弁軸（２３１）の先端に突設する一方、他方の第１弁軸（１３１）には山部（４２）（４２）と谷部（４３）（４３）が交互に連続する既述図４の如き係合筒（４１）を設けても良い。
【図面の簡単な説明】
【図１】本発明の実施の形態に係る流体回路接続具の温水プラグ（１）と温水コンセント（２）を分離した状態の断面図
【図２】温水コンセント（２）の正面図
【図３】温水プラグ（１）の斜視図
【図４】第１リフト弁（１３）と第２リフト弁（２３）の関係を説明する斜視図
【図５】温水プラグ（１）と温水コンセント（２）を接続した状態の断面図
【図６】従来の流体回路接続具を構成する温水コンセント（２）の正面図
【図７】従来の流体回路接続具を構成する温水プラグ（１）の斜視図
【図８】従来の流体回路接続具を構成する温水プラグ（１）と温水コンセント（２）を接続した状態の断面図
【符号の説明】
（１）・・・温水プラグ、（２）・・・温水コンセント、（１１）・・・差込筒、
（１３）・・・第１リフト弁、（１５）・・・第１バネ、（２１）・・・差込孔、
（２３）・・・第２リフト弁、（２５）・・・第２バネ、（４２）（５２）・・・山部、
（４３）（５３）・・・谷部、（１３１）・・・第１弁軸、（２３１）・・・第２弁軸、
【図１】
0003607660.tif 000002
【図２】
0003607660.tif 000003
【図３】
0003607660.tif 000004
【図４】
0003607660.tif 000005
【図５】
0003607660.tif 000006
【図６】
0003607660.tif 000007
【図７】
0003607660.tif 000008
【図８】
0003607660.tif 000009